(57)【要約】【課題】乗かご内通話装置に対する誤操作または悪戯により乗かご内通話装置から乗かご外通話装置に対して通話が要求されることを阻止する確実性を向上させること。【解決手段】制御装置30は、非常呼出し釦11に対する操作を検知する操作検知部31と、非常呼出し釦11に対する操作が検知される度に、乗かご内操作盤10に対する複数種類の特殊操作のうちから１種類の特殊操作を選択する操作選択部33と、選択された特殊操作の音声案内を乗かご内通話装置10に出力させる音声制御部34と、選択された特殊操作が行われたか否かを判定する操作判定部35と、選択された特殊操作が行われたと判定された場合に乗かご内通話装置10から乗かご外通話装置50に対し通話を要求することを確定し、選択された特殊操作が行われなかったと判定された場合に乗かご内通話装置10から乗かご外通話装置50に対し通話を要求しないことを確定する通信処理部36とを備える。【選択図】図１
2015174720.tif 000002
【特許請求の範囲】
【請求項１】
乗かご内に設けられ非常呼出し釦を有する乗かご内通話装置と、乗かご外に設けられた乗かご外通話装置と、前記非常呼出し釦が操作されたことに基づいて、前記乗かご内通話装置から前記乗かご外通話装置に対して通話を要求するエレベータの通話システムにおいて、
前記乗かご内に設けられ乗客に操作される乗かご内操作盤と、前記乗かご内通話装置を制御する制御装置とを備え、前記制御装置は、前記非常呼出し釦に対する操作を検知する操作検知部と、前記非常呼出し釦に対する操作が前記操作検知部により検知される度に、前記乗かご内操作盤に対する複数種類の特殊操作のうちから１種類の特殊操作を選択する操作選択部と、前記操作選択部により選択された特殊操作の音声案内を前記乗かご内通話装置に出力させる音声制御部と、前記操作選択部により選択された特殊操作が行われたか否かを判定する操作判定部と、前記乗かご内通話装置から前記乗かご外通話装置に対して通話を要求するか否かを、前記操作判定部による判定の結果に基づいて確定する通信処理部とを備え、
前記通信処理部は、前記操作選択部により選択された特殊操作が行われたと前記操作判定部により判定された場合に前記乗かご内通話装置から前記乗かご外通話装置に対して通話を要求することを確定し、前記操作選択部により選択された特殊操作が行われなかったと前記操作判定部により判定された場合に前記乗かご内通話装置から前記乗かご外通話装置に対して通話を要求しないことを確定する
ことを特徴とするエレベータの通話システム。
【請求項２】
請求項１に記載のエレベータの通話システムにおいて、
前記制御装置は、前記乗かご内通話装置による通報を行うことに値する特定の異常が検出された状態であるか否か判定する異常判定部を備え、
前記通信処理部は、前記非常呼出し釦に対する操作が前記非常呼出し検知部により検知されたときに特定の異常が検出された状態であると前記異常判定部により判定された場合に、前記乗かご内通話装置から前記乗かご外通話装置に対して通話を要求することを確定する
ことを特徴とするエレベータの通話システム。
【発明の詳細な説明】
【技術分野】
【０００１】
本発明は、乗かご内の通話装置と乗かご外の通話装置との間での通話を可能にするエレベータの通話システムであって、特に、乗かご内の通話装置に対する誤操作または悪戯により乗かご内の通話装置から乗かご外の通話装置に対して通話が要求されることを阻止するエレベータの通話システムに関する。
【背景技術】
【０００２】
従来、エレベータの通話システムは、乗かご内に設けられた通話装置（以下適宜「乗かご内通話装置」という）と、乗かご外に設けられた通話装置（以下適宜「乗かご外通話装置」という）とを備える。乗かご内通話装置は、乗かご内の乗客により操作される非常呼出し釦を備える。乗かご内の乗客は、乗かご内通話装置の非常呼び釦を押すことよって、例えば監視センタに設けられた乗かご外通話装置に通話を要求し、その乗かご外通話装置を扱う者に対して、乗かご内に閉じ込められたこと、エレベータに何らかの異常が発生したことなどを通報する。
【０００３】
非常呼出し釦に対する操作が誤操作または悪戯である場合に乗かご内通話装置から乗かご外通話装置に対して通話が要求されることを阻止する技術としては、例えば特許文献１に開示されたものがある。その特許文献１には、エレベータかご内の乗客が非常呼び釦を押すと所定のメッセージが放送され、再度非常呼び釦を押すと、監視センタを呼び出す構成が開示されている。同じく特許文献１には、エレベータかご内の乗客が非常呼釦を長時間押していること、または非常呼釦が所定回数以上押されたことの少なくとも一方を検出して電話回線に接続する構成が開示されている。つまり、特許文献１に開示された技術は、監視センタに対する通話の要求を、非常呼出し釦が単に押されただけで行わず、誤操作または悪戯ではない操作として予め決められた特殊操作が非常呼び釦に対して行われた場合に限って行う、というものである。
【先行技術文献】
【特許文献】
【０００４】
【特許文献１】特開２００８−２８５２４９号公報（段落０００５，０００６）
【発明の概要】
【発明が解決しようとする課題】
【０００５】
前述のように、特許文献１に開示された技術は、監視センタに対する通話の要求を、非常呼出し釦が単に押されただけで行わず、誤操作または悪戯ではない操作として予め決められた特殊操作が非常呼び釦に対して行われた場合に限って行う、というものである。非常呼出し釦を複数回押したり長押ししたりする特殊操作は、誤操作では行われにくいことであると考えられるが、悪戯を行う者の思い付きで、または、悪戯を行う者が特殊操作の情報を不正に取得して事前に覚えておくことで、行われてしまうことが懸念される。
【０００６】
本発明は前述の事情を考慮してなされたものであり、その目的は、乗かご内通話装置に対する誤操作または悪戯により乗かご内通話装置から乗かご外通話装置に対して通話が要求されることを阻止する確実性を向上させることができるエレベータの通話システムを提供することにある。
【課題を解決するための手段】
【０００７】
前述の目的を達成するために本発明に係るエレベータの通話システムは、乗かご内に設けられ非常呼出し釦を有する乗かご内通話装置と、乗かご外に設けられた乗かご外通話装置とを備え、前記非常呼出し釦が操作されたことに基づいて、前記乗かご内通話装置から前記乗かご外通話装置に対して通話を要求するエレベータの通話システムにおいて、前記乗かご内に設けられ乗客に操作される乗かご内操作盤と、前記乗かご内通話装置を制御する制御装置とを備え、前記制御装置は、前記非常呼出し釦に対する操作を検知する操作検知部と、前記非常呼出し釦に対する操作が前記操作検知部により検知される度に、前記乗かご内操作盤に対する複数種類の特殊操作のうちから１種類の特殊操作を選択する操作選択部と、前記操作選択部により選択された特殊操作の音声案内を前記乗かご内通話装置に出力させる音声制御部と、前記操作選択部により選択された特殊操作が行われたか否かを判定する操作判定部と、前記乗かご内通話装置から前記乗かご外通話装置に対して通話を要求するか否かを、前記操作判定部による判定の結果に基づいて確定する通信処理部とを備え、前記通信処理部は、前記操作選択部により選択された特殊操作が行われたと前記操作判定部により判定された場合に前記乗かご内通話装置から前記乗かご外通話装置に対して通話を要求することを確定し、前記操作選択部により選択された特殊操作が行われなかったと前記操作判定部により判定された場合に前記乗かご内通話装置から前記乗かご外通話装置に対して通話を要求しないことを確定することを特徴とする。
【発明の効果】
【０００８】
本発明に係るエレベータの通話システムにおいて、制御装置の通信処理部は、操作選択部により選択された特殊操作が行われたと操作判定部により判定された場合に乗かご内通話装置から乗かご外通話装置に対して通話を要求することを確定し、操作選択部により選択された特殊操作が行われなかったと操作判定部により判定された場合に乗かご内通話装置から乗かご外通話装置に対して通話を要求しないことを確定する。操作選択部により選択される特殊操作は非常呼出し釦対する操作ではないとともに、操作検知部により非常呼出し釦が操作される度に複数種類の特殊操作のうちから選択されることで一定しない。これらのことから、本発明に係るエレベータの通話システムは、乗かご内通話装置に対する誤操作または悪戯により、乗かご内通話装置から乗かご外通話装置に対して通話が要求されることを回避する確実性を向上させることができる。
【図面の簡単な説明】
【０００９】
【図１】本発明の一実施形態に係るエレベータの通話システムの概略を示すブロック図である。
【図２】図１に示した操作選択部により選択可能な複数種類の特殊操作と、これら複数種類の特殊操作のそれぞれに対応に付けられた音声案内とを示す図である。
【図３】図１に示した制御装置により行われる処理の流れを示すフローチャートである。
【発明を実施するための形態】
【００１０】
本発明の一実施形態に係るエレベータの通話システムについて図１〜図３を用いて説明する。
【００１１】
図１に示すように、本実施形態に係るエレベータの通話システムは、乗かご１内に設けられ非常呼出し釦１１を有する乗かご内通話装置１０と、乗かご１外に位置し、エレベータを監視する監視センタ４０に設けられた乗かご外通話装置５０と、乗かご１内に設けられ乗客に操作される乗かご内操作盤１０と、乗かご内通話装置１０を制御する制御装置３０とを備える。
【００１２】
乗かご内通話装置１０は、非常呼出し釦１１を押圧操作されることで、乗かご外通話装置５０との通話を要求する通話要求信号を発生させる電気回路（図示してない）を備える。
【００１３】
乗かご内操作盤１０は例えば、１階釦２１と、２階釦２２と、３階釦２３と、４階釦２４と、５階釦２５と、６階釦２６とを、行き先階登録釦として備える。また、乗かご内操作盤１０は、１階釦２１が押圧操作されることでエレベータに対し乗かご１の行き先階として１階を登録すること（１階にかご呼びをつくること）を指令する行き先階指令信号を発生させる電気回路（図示してない）と、２階釦２２が押圧操作されることでエレベータに対し乗かご１の行き先階として２階を登録すること（２階にかご呼びをつくること）を指令する行き先階指令信号を発生させる電気回路（図示してない）と、３階釦２３は押圧操作されることでエレベータに対し乗かご１の行き先階として３階を登録すること（３階にかご呼びをつくること）を指令する行き先階指令信号を発生させる電気回路（図示してない）と、４階釦２４は押圧操作されることでエレベータに対し乗かご１の行き先階として４階を登録すること（４階にかご呼びをつくること）を指令する行き先階指令信号を発生させる電気回路（図示してない）と、５階釦２５が押圧操作されることでエレベータに対し乗かご１の行き先階として５階を登録すること（５階にかご呼びをつくること）を指令する行き先階指令信号を発生させる電気回路（図示してない）と、６階釦２６が押圧操作されることでエレベータに対し乗かご１の行き先階として６階を登録すること（６階にかご呼びをつくること）を指令する行き先階指令信号を発生させる電気回路（図示してない）とを備える。
【００１４】
また、乗かご内操作盤１０は、ドア開釦２７と、ドア閉釦２８とを備える。また、乗かご内操作盤１０は、ドア開釦２７が押圧操作されることでエレベータに対し乗かご１の出入口のドア（図示省略）を開くことを指令するドア開指令信号を発生させる電気回路（図示してない）と、ドア開釦２７がエレベータに対し乗かご１の出入口のドアを閉じることを指令するドア閉指令信号を発生させる電気回路（図示してない）とを備える。
【００１５】
通話要求信号、行き先階指令信号、ドア閉指令信号は、制御装置３０に入力される。
【００１６】
制御装置３０は、ＣＰＵ、ＲＯＭ、ＲＡＭ、補助記憶装置を備え（図示してない）、コンピュータプログラムに従って処理を行う者であり、制御プログラムにより設定された機能部として、操作検知部３１、異常判定部３２、操作選択部３３、音声制御部３４、操作判定部３５、通信処理部３６、を備える。これらの機能部について説明していく。
【００１７】
操作検知部３１は、非常呼出し釦に対する操作を検知するものである。より詳細には、操作検知部３２は、非常呼出し釦１１から制御装置３０に通話要求信号が入力されたことを非常呼出し釦１１に対する操作が行われたこととして検知し、非常呼出し釦１１から制御装置３０に通話要求信号が入力されてない状態では、非常呼出し釦１１に対する操作を検知しない。
【００１８】
異常判定部３２は、非常呼出し釦１１に対する操作が操作検知部３１により検知されたときに、乗かご内通話装置１０による通報を行うことに値する特定の異常が検出された状態であるか否かを判定するものである。特定の異常とは、例えば、乗かご１が乗場に停止したにもかかわらずかごドアが開かない状態であること、乗かご１が走行できない状態であることなど、乗客が乗かご１に閉じ込められるおそれのある異常である。
【００１９】
操作選択部３３は、非常呼出し釦１１に対する操作が操作検知部３１により検知される度に、乗かご内操作盤１０に対する複数種類の特殊操作のうちから１種類の特殊操作を選択するものである。より詳細には、操作選択部３３は、複数種類の特殊操作のうちから１種類の特殊操作を、コンピュータプログラムによる抽選を行うことで選択する。
【００２０】
図２に示すように、複数種類の特殊操作は、例えば１階釦２１〜６階釦２６（行き先階登録釦）のいずれか２つに対する操作と、ドア閉釦２８に対する操作との組合せから成る。例えば、例えば図２においてＮｏ．１が付された特殊操作は、１階釦２１と２階釦２２とドア閉釦２８を「１階釦２１→２階釦２２→ドア閉釦２８」の順番で操作することである。
【００２１】
図１に戻り、音声制御部３４は、操作選択部３３により選択された特殊操作の音声案内を乗かご内通話装置１０に出力させるものである。より詳細には、図２に示すように複数種類の特殊操作のそれぞれと複数種類の音声案内のそれぞれとの対応関係が予め定められていて、音声制御部３４は、操作選択部３３により選択された特殊操作と対応関係にある音声案内を、図２に示す対応関係に基づいて選択し、その音声案内を乗かご内通話装置１０に出力させる。例えばＮｏ．１が付された音声案内は、「音声案内に従って釦を押してください。１階釦と２階釦を１階釦、２階釦の順番で押した後、ドア閉釦を押してください。」である。
【００２２】
操作判定部３５は、操作選択部３３により選択された特殊操作が行われたか否かを判定するものである。より詳細には、操作判定部３５は、操作選択部３３により特殊操作が選択された時点から制限時間内に行き先階指令信号またはドア閉信号が制御装置３０に入力された場合に、その特殊操作が制限時間内に行われたか否かを、乗かご内操作盤１０から制御装置３０に入力された行き先階指令信号およびドア閉指令信号に基づいて判定する。操作判定部３５は、操作選択部３３により特殊操作が選択された時点から制限時間が経過するまでに行き先階指令信号およびドア閉信号のいずれも制御装置３０に入力されたかった場合には、その特殊操作が行われなかったと判定する。制限時間は予め設定されたものであり、音声案内が終了した時点から特殊操作を行うのに十分な長さ、例えば１０秒に設定されている。
【００２３】
通信処理部３６は、乗かご内通話装置１０から乗かご外通話装置５０に対して通話を要求するか否かを、操作判定部３５による判定の結果に基づいて確定するものである。
【００２４】
具体的には、通信処理部３６は、非常呼出し釦１１に対する操作が操作検知部３２により検知されたときに特定の異常が検出された状態であると異常判定部３２により判定された場合に、乗かご内通話装置１０から乗かご外通話装置５０に対して通話を要求することを確定する。乗かご内通話装置１０から乗かご外通話装置５０に対する通話の要求は、通信回線６０を介して行われる。
【００２５】
また、通信処理部３６は、非常呼出し釦１１に対する操作が操作検知部３２により検知されたときに特定の異常が検出された状態ではないと異常判定部３２により判定された場合であって、操作選択部３３により選択された特殊操作が行われたと操作判定部３５により判定された場合に、乗かご内通話装置１０から乗かご外通話装置５０に対して通話を要求することを確定する。また、通信処理部３６は、非常呼出し釦１１に対する操作が操作検知部３２により検知されたときに異常判定部３２によって特定の異常有りと判定された状態でない場合であって、操作選択部３３により選択された特殊操作が行われなかったと操作判定部３５により判定された場合に、乗かご内通話装置１０から乗かご外通話装置５０に対して通話を要求しないことを確定する。
【００２６】
このように構成された本実施形態に係るエレベータの通話システムにおいて、制御装置３０は、操作検知部３１、操作選択部３３、音声制御部３４、操作判定部３５、通信処理部３６、異常判定部３２による処理を、図３に示す流れで行う。
【００２７】
乗かご１内の乗客１００が乗かご内通話装置１０の非常呼出し釦１１に対して押圧操作を行うと、通話要求信号が制御装置３０に入力される。これに伴い、制御装置３０の操作検知部３１が非常呼出し釦１１に対する操作を検知し、図３に示す処理が開始される（スタート）。
【００２８】
この処理においては、はじめに、制御装置３０の異常判定部３２は、非常呼出し釦１１に対する操作が操作検知部３２により検知されたときに、特定の異常が検出された状態であるか否かを判定する（ステップＳ１）。
【００２９】
ステップ１において特定の異常が検出された状態であると異常判定部３２によりと判定された場合（ステップＳ１でＮＯの場合）、操作選択部３３は、複数種類の特殊操作のうちから１種類の特殊操作を抽選で選択する（ステップＳ２）。
【００３０】
次に、音声制御部３４は、操作選択部３３により選択された特殊操作と対応関係にある音声案内を、複数種類の音声案内のうちから選択し（ステップＳ３）、その音声案内を乗かご内通話装置１０に出力させる（ステップＳ４）。
【００３１】
次に、操作判定部３５は、操作選択部３３により選択された特殊操作が、この特殊操作の選択時点から制限時間内に行われたか否かを判定する（「ステップＳ５でＮＯ→ステップＳ６でＮＯ」の繰り返し）。
【００３２】
ステップＳ５において特殊操作が行われたと操作判定部３５により判定された場合（ステップＳ５でＹＥＳの場合）、通信処理部３６は乗かご内通話装置１０から乗かご外通話装置５０に対して通話を要求することを確定し（ステップＳ７）、通話を要求して（ステップＳ８）、図３に示す処理を終了する（ＥＮＤ）。
【００３３】
また、ステップＳ６において特殊操作の選択時点から制限時間が経過した場合（ステップＳ６でＹＥＳの場合）、すなわち、操作選択部により選択された特殊操作が、この特殊操作の選択時点から制限時間内に行われなかった場合、通信処理部３６は乗かご内通話装置１０から乗かご外通話装置５０に対して通話を要求しないことを確定し（ステップＳ９）、図３に示す処理を終了する（ＥＮＤ）。
【００３４】
また、ステップＳ１において特定の異常が検出された状態であると異常判定部３２により判定された場合（ステップＳ１でＹＥＳの場合）、通信処理部３６は乗かご内通話装置１０から乗かご外通話装置５０に対して通話を要求することを確定し（ステップＳ７）、通話を要求して（ステップＳ８）、図３に示す処理を終了する（ＥＮＤ）。つまり、非常呼出し釦１１に対して押圧操作が行われたときに特定の異常が検出された状態である場合には、ステップＳ２〜ステップＳ６は行われることなく、乗かご内通話装置１０から乗かご外通話装置５０に対して通話が要求される。
【００３５】
本実施形態に係るエレベータの通話システムは、次の効果を奏する。
【００３６】
本実施形態に係るエレベータの通話システムにおいて、制御装置３０の通信処理部３６は、操作選択部３３により選択された特殊操作が行われたと操作判定部３５により判定された場合に乗かご内通話装置１０から乗かご外通話装置５０に対して通話を要求することを確定し、操作選択部３３により選択された特殊操作が行われなかったと操作判定部３５により判定された場合に乗かご内通話装置１０から乗かご外通話装置５０に対して通話を要求しないことを確定する。操作選択部３３により選択される特殊操作は非常呼出し釦１１に対する操作ではないとともに、操作検知部３１により非常呼出し釦１１が操作される度に複数種類の特殊操作のうちから選択されることで一定しない。これらのことから、本発明に係るエレベータの通話システムは、乗かご内通話装置１０に対する誤操作または悪戯により、乗かご内通話装置１０から乗かご外通話装置５０に対して通話が要求されることを阻止する確実性を向上させることができる。
【００３７】
本実施形態に係るエレベータの通話システムにおいて、制御装置３０の通信処理部３６は、非常呼出し釦１１に対する操作が操作検知部３１により検知されたときに特定の異常が検出された状態であると異常判定部３２により判定された場合には、特殊操作が行われることを条件とすることなく、乗かご内通話装置１０から乗かご外通話装置５０に対して通話を要求することを確定する。これにより、誤操作でも悪戯でもなく、乗かご１に閉じ込められた乗客１００が非常呼出し釦１１を操作したときに、乗かご内通話装置１０から乗かご外通話装置５０に対して迅速に通話を要求することができる。
【００３８】
なお、前述の実施形態に係るエレベータの通話システムにおいて、乗かご外通話装置５０は監視センタ４０に設けられたものであるが、本発明における乗かご外通話装置５０は、監視センタ４０以外の場所に設けられたものであってもよい。
【００３９】
前述の実施形態に係るエレベータの通話システムにおいて、制御装置３０の操作選択部３３は抽選で、複数種類の特殊操作のうちから１種類の特殊操作を選択するものであったが、本発明における操作選択部は抽選を行うものに限定されるものではなく、予め決められた順番に従って複数種類の特殊操作のうちから１種類の特殊操作を選択するものであってもよい。
【符号の説明】
【００４０】
１  乗かご
１０  乗かご内通話装置
１１  非常呼出し釦
２０  乗かご内操作盤
２１  １階釦
２２  ２階釦
２３  ３階釦
２４  ４階釦
２５  ５階釦
２６  ６階釦
２７  ドア開釦
２８  ドア閉釦
３０  制御装置
３１  異常判定部
３２  操作検知部
３３  操作選択部
３４  音声制御部
３５  操作判定部
３６  通信処理部
４０  監視センタ
５０  乗かご外通話装置
６０  通信回線
１００  乗客
【図１】
2015174720.tif 000003
【図２】
2015174720.tif 000004
【図３】
2015174720.tif 000005